(57)【要約】  本発明は、移動端末（２０）、特に、移動端末（２０）、組合型端末装置（３０）、移動端末の寄せ集め制御の方法に関する。寄せ集め可能な移動端末（２０）のために、状態決定指示に従って、移動端末（２０）は、選択的にマスタ動作状態あるいはスレーブ動作状態に入らせられる。移動端末（２０）がマスタとして動作すると、表示分割手段（ａ２）は、組合型端末装置（３０）中の各移動端末（２０）の画面資源に従ってマスタの表示内容を分割し、組合型端末装置（３０）中の複数の移動端末（２０）に対応する複数の分割された表示データを得て、対応する分割された表示データをスレーブに送る。移動端末（２０）がスレーブとして動作する場合、マスタから分割された表示データを受信すると、表示切替手段（ａ３）は、受信した分割された表示データを表示する。スレーブは、マスタによって表示される内容を表示することができ、スレーブの数が多いときには、その内容を複数のスレーブによって作られる比較的大きな画面でユーザに表示することができ、大面積に対するニーズが満たされる。【選択図】図１０
2018512081.tif 000002
【特許請求の範囲】
【請求項１】
画面と寄せ集め管理モジュールとを含み、選択的に、マスタ動作状態のマスタとして動作し、スレーブ動作状態のスレーブとして動作することができ、単一の組合型端末装置に組合せられるために複数寄せ集めることができる寄せ集め可能な移動端末であって、
前記寄せ集め管理モジュールは、
状態決定指示に従って前記移動端末を選択的にマスタ動作状態あるいはスレーブ動作状態に入らせるように構成された状態決定手段と、
前記移動端末が前記マスタとして動作すると、前記組合型端末装置中の複数の前記移動端末に対応する複数の分割された表示データを取得するために、前記組合型端末装置中のそれぞれの前記移動端末の画面資源に従って前記マスタの表示内容を分割し、前記スレーブに対して対応する前記分割された表示データを送信するように構成された表示分割手段と、
前記移動端末が前記スレーブとして動作する場合、前記マスタから前記分割された表示データを受信すると、前記移動端末の現実行タスクをバックグラウンドで非表示で実行し、前記受信した分割された表示データを表示するように構成された表示切替手段と、
を含む、
移動端末。
【請求項２】
請求項１に記載の移動端末において、
前記寄せ集め管理モジュールは、さらに、
前記移動端末が前記スレーブとして動作する場合、前記移動端末の現在の利用可能な資源の情報の統計をとり、前記マスタに前記利用可能な資源の情報を送信するように構成された資源統計手段と、
前記移動端末が前記マスタとして動作する場合、前記スレーブの前記利用可能な資源の情報に従って前記マスタの現実行タスクを複数のサブタスクに分割し、対応するサブタスクを前記スレーブに送信するように構成された資源割当手段と、
前記移動端末が前記スレーブとして動作する場合、前記マスタからの前記サブタスクに従って前記利用可能な資源を使用して前記サブタスクを実行するように構成されたサブタスク実行手段と、を含む、
移動端末。
【請求項３】
請求項１または２に記載の移動端末において、さらに、
ユーザによって入力される前記状態決定指示を受信する状態選択インタフェースを含む、
移動端末。
【請求項４】
請求項３に記載の移動端末において、さらに、
前記移動端末が寄せ集め状態に入るかどうかを常に監視するように構成された寄せ集め検出モジュールを含み、
前記状態選択インタフェースは、前記移動端末が前記寄せ集め状態に入るのに応じて起動され、前記移動端末の前記画面上で前記ユーザに提供されるように構成されている、
移動端末。
【請求項５】
請求項３に記載の移動端末において、さらに、
それぞれ予め定められた機能を実行するために使用される１以上の物理キーと、
前記１以上の物理キーの１つの特定の物理キーの前記予め定められた機能を、前記状態選択インタフェースを呼出すための呼出機能に切り替え、前記特定の物理キーの前記予め定められた機能を実行するための仮想キーを前記画面に表示するように構成された機能切替モジュールと、を含み、
前記特定の物理キーが押下されると、前記状態選択インタフェースは、前記押下の動作に応じて起動されて前記移動端末の前記画面上で前記ユーザに提供される、
移動端末。
【請求項６】
請求項３，４または５に記載の移動端末において、さらに、
それぞれの前記移動端末間のデータ通信のために他の前記移動端末に寄せ集められる寄せ集めインタフェースを含む、
移動端末。
【請求項７】
請求項１乃至６の何れかに記載の移動端末において、
前記状態決定手段は、さらに、前記移動端末が前記マスタ動作状態に入ることを示す前記状態決定指示に応じて前記マスタ状態に入ると、他の移動端末に前記スレーブ動作状態に入ることを示す前記状態決定指示を送出するように構成されている、
移動端末。
【請求項８】
請求項７に記載の移動端末において、前記表示分割手段は、さらに、前記移動端末が前記マスタ動作状態に入るのに応じて起動されて動作するように構成されている、
移動端末。
【請求項９】
請求項１乃至８の何れかに記載の移動端末において、
前記状態決定手段は、さらに、前記状態決定指示に従って前記移動端末を前記マスタ動作状態から出させ、前記移動端末が前記マスタ動作状態から出るのに応じて他の移動端末に前記スレーブ状態から出ることを示すスレーブ終了指示を送出するように構成されている、
移動端末。
【請求項１０】
請求項１乃至９の何れかに記載の移動端末において、
前記状態決定手段は、さらに、前記移動端末が前記スレーブとして動作する場合、前記移動端末が前記マスタとの接続を失ってロスト状態になると、前記ロスト状態に従っておよび応じて、前記スレーブ動作状態から出ることを示す前記スレーブ終了指示を送出するように構成されている、
移動端末。
【請求項１１】
請求項１乃至１０の何れかに記載の移動端末において、
前記表示分割手段は、前記組合型端末装置中のそれぞれの前記移動端末の前記画面資源をリアルタイムに監視し、監視した画面資源に従って前記マスタの前記表示内容をリアルタイムに分割する、
移動端末。
【請求項１２】
請求項９または１０に記載の移動端末において、
前記表示切替手段は、さらに、前記移動端末が前記スレーブとして動作する場合、前記スレーブ終了指示を受信すると、前記分割された表示データの表示を終了し、前記移動端末のバックグラウンドで走行しているタスクをフォアグラウンドで走行するように回復する、
移動端末。
【請求項１３】
請求項９乃至１２の何れかに記載の移動端末において、
前記サブタスク実行手段は、さらに、前記移動端末が前記スレーブとして動作する場合、前記スレーブ終了指示を受信すると、前記サブタスクの実行を終了する、
移動端末。
【請求項１４】
請求項２乃至１３の何れかに記載の移動端末において、
前記利用可能な資源の情報は、ＣＰＵ資源、ストレージ資源、ネットワーク資源、および電力資源の少なくとも１つを含む、
移動端末。
【請求項１５】
請求項１４に記載の移動端末において、
前記マスタ中の前記資源割当手段は、前記マスタの計算タスクを計算サブタスクに分割し、前記スレーブの前記ＣＰＵ資源に従って対応する計算サブタスクを前記スレーブに送り、前記スレーブ中の前記サブタスク実行手段は、前記受信した計算サブタスクに従って前記スレーブの前記ＣＰＵ資源を使用して前記計算サブタスクを実行し、或いは、
前記マスタ中の前記資源割当手段は、前記マスタのストレージタスクをストレージサブタスクに分割し、前記スレーブの前記ストレージ資源に従って対応するストレージサブタスクを前記スレーブに送り、前記スレーブ中の前記サブタスク実行手段は、前記受信したストレージサブタスクに従って前記スレーブの前記ストレージ資源を使用して前記ストレージサブタスクを実行し、或いは、
前記マスタ中の前記資源割当手段は、前記マスタのアップロード或いはダウンロードタスクをアップロード或いはダウンロードサブタスクに分割し、前記スレーブの前記ネットワーク資源に従って対応するアップロード或いはダウンロードサブタスクを前記スレーブに送り、前記スレーブにおける前記サブタスク実行手段は、前記受信したアップロード或いはダウンロードサブタスクに従って前記スレーブの前記ネットワーク資源を使用して前記アップロード或いはダウンロードサブタスクを実行し、或いは、
前記マスタは、前記スレーブの前記電力資源を取得し、前記マスタ或いは前記スレーブの電力が不十分であれば、前記マスタは、充電タスクを生成し、前記マスタは、十分な電力を有する前記スレーブ或いは前記マスタが電力の不十分な前記マスタ或いは前記スレーブを充電するように、前記充電タスクを電力の十分な一つの前記スレーブ或いは前記マスタに割り当て、もしくは、前記マスタの前記資源割当手段は、前記充電タスクを充電サブタスクに分割し、前記充電資源に従って対応する充電サブタスクを他の前記スレーブ或いは前記マスタに送り、前記受信した充電サブタスクに従って、前記スレーブ中の前記サブタスク実行手段或いは前記マスタは、前記スレーブ或いは前記マスタの前記充電資源を使用して、電力の不十分な前記マスタ或いは前記スレーブを充電する、
移動端末。
【請求項１６】
請求項２乃至１５の何れかに記載の移動端末において、
前記資源統計手段は、ステレオスピーカシステムを形成するために、前記マスタおよび前記スレーブが有するスピーカの統計をとり、前記資源割当手段は、前記組合型端末装置のオーディオの左チャンネルを左側に配置された前記スピーカに割り当て、前記オーディオの右チャネルを右側に配置された前記スピーカに割り当て、前記オーディオの中央チャネルを中央に配置された前記スピーカに割り当てる、
移動端末。
【請求項１７】
請求項１乃至１６の何れかに記載の移動端末において、さらに、
前記移動端末が寄せ集め状態である場合、前記組合型端末装置中に前記マスタとして動作する前記移動端末が存在するかどうか問合せを通じて決定するように構成されたマスタ問合せモジュールを含み、前記組合型端末装置中にマスタとして動作する前記移動端末が存在すると、前記マスタ問合せモジュールは、前記状態決定手段に前記移動端末は前記スレーブであることを示す前記状態決定指示を送出する、
移動端末。
【請求項１８】
請求項１乃至１７の何れかに記載の移動端末において、さらに、
前記画面の相反する両側に位置し、相互に平行する平面である第一側表面及び第二側表面と、
前記第一側表面に設置される第一磁気吸着手段及び前記第二側表面に設置される第二磁気吸着手段と、を含み、前記第一磁気吸着手段と前記第二磁気吸着手段は、現在の前記移動端末に他の前記移動端末が寄せ集められる時に、現在の前記移動端末の前記第一側表面における前記第一磁気吸着手段が他の前記移動端末の前記第二側表面における前記第二磁気吸着手段と相互に吸引し、現在の前記移動端末の前記第一側表面が他の前記移動端末の前記第二側表面と相互に合わさるように貼り付けられる位置に配置され、
前記第一磁気吸着手段が前記第一側表面に突出しないと共に、前記第二磁気吸着手段が前記第二側表面に突出しない、
移動端末。
【請求項１９】
請求項１８に記載の移動端末において、前記寄せ集めインタフェースは、
前記第一側表面に設置される第一導電部と、
前記第二側表面に設置される第二導電部と、を含み、
前記第一導電部と前記第二導電部は、現在の前記移動端末の前記第一側表面が他の前記移動端末の前記第二側表面と相互に合わさるように貼り付けられる時に、現在の前記移動端末の前記第一側表面における前記第一導電部が他の前記移動端末の前記第二側表面における前記第二導電部と相互に電気接触する位置に配置される、
移動端末。
【請求項２０】
請求項１９に記載の移動端末において、前記第一導電部と前記第二導電部の少なくとも一つは、それが位置する側表面に垂直する方向に沿って移動できるように、弾性材料により形成され、或いは、偏るようにバネによって形成される、
移動端末。
【請求項２１】
請求項２０に記載の移動端末において、
前記第一導電部は、複数の弓形金属板からなり、前記第二導電部は、前記第二側表面に窪み、現在の前記移動端末の前記第一導電部が他の前記移動端末の前記第二導電部と相互に当接して、前記第一導電部によりそれが位置する側表面に垂直する方向に沿って変形を生じさせることにより、他の前記移動端末の前記第二側表面が現在の前記移動端末の前記第一側表面と相互に合わさるように貼り付けられる、或いは、
前記第一側表面は、第一溝を有し、前記第一導電部は、前記第一溝に回転可能に接続され、前記第一導電部は、第一溝の外部に出るように回転して他の前記移動端末の前記第二導電部に接触することが可能であり、かつ、前記第一導電部は、前記第一溝内へ回転して他の前記移動端末の前記第二導電部との接触を断つことが可能である、
移動端末。
【請求項２２】
請求項１９に記載の移動端末において、
前記第一導電部と前記第二導電部の少なくとも１つは、張出位置と引返位置との間に移動可能である可動導電部が形成され、前記可動導電部が前記張出位置になるとそれの位置する側表面に突出し、
前記可動導電部が位置する側表面には、前記可動導電部を収容する凹部を有する、
移動端末。
【請求項２３】
請求項１８乃至２２の何れかに記載の移動端末において、
前記第一側表面及び／或いは前記第二側表面における手動操作キーをさらに含み、前記手動操作キーを、その輪郭がその側表面を上回らせないように、その位置する側表面の第二溝に形成する、
移動端末。
【請求項２４】
請求項１８乃至２３の何れかに記載の移動端末において、
前記移動端末は、全体に丸角がない矩形である、
移動端末。
【請求項２５】
請求項１８乃至２４の何れかに記載の移動端末において、
前記移動端末の背面側には、前記画面の幅方向に沿って配置された左磁気吸着手段及び右磁気吸着手段が設置され、前記左磁気吸着手段及び前記右磁気吸着手段は、現在の前記移動端末の前記第一導電部と他の前記移動端末の前記第二導電部とが背中合わせに相互に抵触すると、現在の前記移動端末の裏面が他の前記移動端末の裏面と相互に合わさるように貼り付けられるように、現在の前記移動端末における前記左磁気吸着手段と前記右磁気吸着手段がそれぞれ他の前記移動端末における前記左磁気吸着手段と前記右磁気吸着手段と相互に吸引可能であるように設置される、
移動端末。
【請求項２６】
請求項１乃至２５の何れかに記載の移動端末において、前記画面は、ほぼ矩形であり、Ｌを前記画面の長さ、Ｗを前記画面の幅とすると、Ｌ：Ｗ≧２．５となり、選択的に、Ｌ：Ｗ＝（２０５〜２１５）：［（２９０〜３０４）／ｎ］となり、ただし、ｎは正の整数となり、かつ、ｎ≧４である、
移動端末。
【請求項２７】
請求項２６に記載の移動端末において、
ｎは、ｎ≦６となり、選択的に、ｎは、４或いは５である、
移動端末。
【請求項２８】
請求項２６又は２７に記載の移動端末において、
Ｗは、１５０ｍｍ≧Ｗ≧３０ｍｍとなり、選択的に、Ｗは、９０ｍｍ≧Ｗ≧５０ｍｍとなる、
移動端末。
【請求項２９】
請求項２６乃至２８の何れかに記載の移動端末において、
Ｌは、２０５〜２１５ｍｍである、
移動端末。
【請求項３０】
請求項２９に記載の移動端末において、
Ｗは、５８〜６１ｍｍであり、選択的に、Ｗが６０ｍｍであって、Ｌが２１０ｍｍである、
移動端末。
【請求項３１】
請求項２９に記載の移動端末において、
Ｗは、７２〜７６ｍｍであり、選択的に、Ｗが７４ｍｍであり、Ｌが２１０ｍｍである、
移動端末。
【請求項３２】
請求項１乃至２５の何れかに記載の移動端末において、
前記画面は、ほぼ矩形であり、Ｌ：Ｗ＝（２０５〜２１５）：［（２９０〜３０４）／ｎとなり、Ｌを前記画面の長さ、Ｗを前記画面の幅とすると、ｎが正の整数であり、かつ、ｎ≧２となり、選択的に、前記ｎは、２或いは３である、
移動端末。
【請求項３３】
請求項２６に記載の移動端末において、
Ｌは、２０５〜２１５ｍｍである、
移動端末。
【請求項３４】
請求項１乃至３３の何れかに記載の移動端末において、
前記画面の幅方向では、額縁レス、或いは、幅が１ｍｍより小さい狭額縁で前記移動端末における対向して設置される２つの側辺を形成する、
移動端末。
【請求項３５】
請求項１乃至３４の何れかに記載の移動端末において、
前記画面の長手方向では、額縁レス、或いは、狭額縁で、前記移動端末における対向して設置される２つの側辺の少なくとも一つを形成する、
移動端末。
【請求項３６】
請求項１乃至３５の何れかに記載の移動端末において、
前記表示内容は、仮想入力デバイスを含み、前記表示分割手段は、さらに、前記仮想入力デバイスに対応する前記表示データを全体として少なくとも１つの分割された表示データに分割するように構成されている、
移動端末。
【請求項３７】
前記画面の幅方向及び／或いは長手方向では、請求項１乃至２５の何れか一つに記載の移動端末が、Ｎ個寄せ集められ、Ｎ個の前記移動端末の前記画面が全体として単一矩形画面に生成される組合型端末装置。
【請求項３８】
請求項１乃至３６の１つに記載された移動端末が前記画面の幅方向および／または長手方向にＮ個寄せ集められて形成された組合型端末装置であって、
前記移動端末のＭ個の前記画面は全体として前記組合型端末装置の画面として使用される単一矩形画面を形成し、前記移動端末のＮ−Ｍ個の前記画面は全体として仮想入力デバイス表示用の入力画面として動作するために単一矩形画面を形成し、前記入力画面は、仮想キーボードおよび前記組合型端末装置の入力インタフェースとして働く仮想タッチパッドを提供するために使用され、Ｎ＞Ｍである、
組合型端末装置。
【請求項３９】
請求項３８に記載の組合型端末装置において、前記組合型端末装置の画面として使用される前記移動端末、および、前記組合型端末装置の前記入力画面として使用される前記移動端末は、有線または無線通信により接続されている、
組合型端末装置。
【請求項４０】
単一の組合型端末装置に組み合わされる複数の移動端末であって、それぞれの前記移動端末が選択的にマスタ動作状態のマスタとして動作し、スレーブ動作状態のスレーブとして動作することができる複数の移動端末を寄せ集める制御に使用される、移動端末の寄せ集め制御方法であって、
前記組合型端末装置を構成するためにデータ通信用のそれぞれの寄せ集めインタフェースを通じて前記複数の移動端末を互いに寄せ集め、
ユーザまたは前記組合型端末装置中の他の移動端末から入力される状態決定指示に従って、現在の前記移動端末を選択的に前記マスタ動作状態あるいは前記スレーブ動作状態に入らせ、
前記マスタは、前記組合型端末装置中の複数の前記移動端末に対応する複数の分割された表示データを取得するために、前記組合型端末装置中のそれぞれの前記移動端末の画面資源に従って前記マスタの表示内容を分割し、前記スレーブに対して対応する前記分割された表示データを送信し、
前記マスタから前記分割された表示データを受信すると、前記スレーブは、前記移動端末の現実行タスクをバックグラウンドで非表示で実行し、前記受信した分割された表示データを表示する、
寄せ集め制御方法。
【請求項４１】
請求項４０に記載の寄せ集め制御方法において、さらに、
前記スレーブは、前記スレーブの現在の利用可能な資源の情報の統計をとり、前記マスタに前記利用可能な資源の情報を送信し、
前記マスタは、前記スレーブの前記利用可能な資源の情報に従って前記マスタの現実行タスクを複数のサブタスクに分割し、前記スレーブに対して対応するサブタスクを送信し、
前記スレーブは、前記マスタからの前記サブタスクに従って前記利用可能な資源を使用して前記サブタスクを実行する、
寄せ集め制御方法。
【請求項４２】
請求項４０または４１に記載の寄せ集め制御方法において、さらに、
前記移動端末は、寄せ集め状態に入るかどうかを常に監視し、
前記移動端末が前記寄せ集め状態に入るのに応じて、前記ユーザが前記状態決定指示を入力することができる状態選択インタフェースを起動して、前記状態選択インタフェースを前記移動端末の前記画面上で前記ユーザに提供する、
寄せ集め制御方法。
【請求項４３】
請求項４０乃至４２の何れかに記載の寄せ集め制御方法において、さらに、
前記移動端末が前記マスタ動作状態に入ることを示す前記状態決定指示に応じて前記マスタ状態に入ると、前記マスタは、他の移動端末がスレーブ動作状態に入るように、他の移動端末に前記スレーブ動作状態に入ることを示す前記状態決定指示を送出する、
寄せ集め制御方法。
【請求項４４】
請求項４３に記載の寄せ集め制御方法において、前記マスタが表示内容を分割するステップは、前記移動端末が前記マスタ動作状態に入るのに応じて行われるべく起動される、
寄せ集め制御方法。
【請求項４５】
請求項４０乃至４４の何れかに記載の寄せ集め制御方法において、さらに、
前記ユーザによって入力された前記状態決定指示に従って前記移動端末を前記マスタ動作状態から出させ、前記移動端末が前記マスタ動作状態から出るのに応じて、前記スレーブ動作状態から出ることを示すスレーブ終了指示を他の移動端末に送出する、
寄せ集め制御方法。
【請求項４６】
請求項４５に記載の寄せ集め制御方法において、前記スレーブ終了指示を受信すると、前記スレーブは、前記分割された表示データの表示を終了し、前記スレーブのバックグラウンドで走行しているタスクをフォワードグラウンドで走行するように回復する、
寄せ集め制御方法。
【請求項４７】
請求項４５に記載の寄せ集め制御方法において、
前記スレーブ終了指示を受信すると、前記スレーブは前記サブタスクの実行を終了する、
寄せ集め制御方法。
【請求項４８】
請求項４０乃至４７の何れかに記載の寄せ集め制御方法において、
前記利用可能な資源の情報は、ＣＰＵ資源、ストレージ資源、ネットワーク資源、および電力資源の少なくとも１つを含む、
寄せ集め制御方法。
【請求項４９】
請求項４０乃至４８の何れかに記載の寄せ集め制御方法において、
前記移動端末が寄せ集め状態に入ると、前記移動端末は、前記組合型端末装置中に前記マスタとして動作する前記移動端末が存在するかどうか問合せによって決定し、前記組合型端末装置中に前記マスタとして動作する前記移動端末が存在すると、前記移動端末は前記スレーブ動作状態に入る、
寄せ集め制御方法。
【発明の詳細な説明】
【技術分野】
【０００１】
本発明は、移動端末に関し、特に、移動端末、複数の移動端末を寄せ集めることによって形成された組合型端末装置、及び、移動端末の寄せ集め制御方法に関する。
【背景技術】
【０００２】
従来技術では、携帯電話機の画面アスペクト比を１６：９や１６：１０に固定することが一般である。画面を片手で操作することを可能とするためには、この時の画面面積は一般的にとても小さく、例えば３．５インチであることから、大面積に対するニーズが十分に満たされない。
【発明の概要】
【発明が解決しようとする課題】
【０００３】
しかしながら、画面の表示面積が十分に大きく、例えば５．５インチが設置されると、前記アスペクト比に制限があるため、画面の幅が大きすぎて、片手操作ができなくなる。
【０００４】
また、画面が上記のアスペクト比に従って設置される場合には、大部分がＡ４用紙の大きさである出版物の文書を表示すると、画面の周囲に黒い領域が残されてしまうことが多い。故に、表示効果に影響があるともに、画面が最大限に利用されなかった。
【０００５】
なお、携帯電話機は、旧製品を新しいものに交替することが早く、利用者による携帯電話機の交替回数も一層多くなる。旧携帯電話機の投棄は、資源の浪費だけでなく、深刻な環境問題も生じてしまう。現在の市場では、特に良い解決方法がまだ存在していないが、その方法としては携帯電話機を回収することが一般的である。しかしながら、この場合に、不要になった携帯電話機を再生させるコストが高くなり、回収と再生による二次汚染の恐れがある。
【課題を解決するための手段】
【０００６】
本願の発明者らは、上記の従来技術を分析する時に、特定の構造の移動端末とすることにより、従来技術に存在し、一見すれば互いに関連していない複数の問題を同時に解決することができることを発見した。
【０００７】
本発明の一側面によれば、画面と寄せ集め管理モジュールとを含み、選択的に、マスタ動作状態のマスタとして動作し、スレーブ動作状態のスレーブとして動作することができ、単一の組合型端末装置に組合せられるために複数寄せ集めることができる寄せ集め可能な移動端末であって、
寄せ集め管理モジュールは、
状態決定指示に従って前記移動端末を選択的にマスタ動作状態あるいはスレーブ動作状態に入らせるように構成された状態決定手段と、
前記移動端末が前記マスタとして動作すると、前記組合型端末装置中の複数の前記移動端末に対応する複数の分割された表示データを取得するために、前記組合型端末装置中のそれぞれの前記移動端末の画面資源に従って前記マスタの表示内容を分割し、前記スレーブに対して対応する前記分割された表示データを送信するように構成された表示分割手段と、
前記移動端末が前記スレーブとして動作する場合、前記マスタから前記分割された表示データを受信すると、前記移動端末の現実行タスクをバックグラウンドで、非表示で実行し、前記受信した分割された表示データを表示するように構成された表示切替手段と、
を含む、移動端末が提供される。
【０００８】
好ましくは、前記寄せ集め管理モジュールは、さらに、
前記移動端末が前記スレーブとして動作する場合、前記移動端末の現在の利用可能な資源の情報の統計をとり、前記マスタに前記利用可能な資源の情報を送信するように構成された資源統計手段と、
前記移動端末が前記マスタとして動作する場合、前記スレーブの前記利用可能な資源の情報に従って前記マスタの現実行タスクを複数のサブタスクに分割し、対応するサブタスクを前記スレーブに送信するように構成された資源割当手段と、
前記移動端末が前記スレーブとして動作する場合、前記マスタからの前記サブタスクに従って前記利用可能な資源を使用して前記サブタスクを実行するように構成されたサブタスク実行手段と、を含む。
【０００９】
好ましくは、前記移動端末は、さらに、ユーザによって入力される前記状態決定指示を受信する状態選択インタフェースを含む。
好ましくは、前記移動端末は、さらに、前記移動端末が寄せ集め状態に入るかどうかを常に監視するように構成された寄せ集め検出モジュールを含み、前記状態選択インタフェースは、前記移動端末が前記寄せ集め状態に入るのに応じて起動され、前記移動端末の前記画面上で前記ユーザに提供されるように構成されている。
【００１０】
好ましくは、前記移動端末は、さらに、
それぞれ予め定められた機能を実行するために使用される１以上の物理キーと、前記１以上の物理キーの１つの特定の物理キーの前記予め定められた機能を、前記状態選択インタフェースを呼出すための呼出機能に切り替え、前記特定の物理キーの前記予め定められた機能を実行するための仮想キーを前記画面に表示するように構成された機能切替モジュールと、を含み、前記特定の物理キーが押下されると、前記状態選択インタフェースは、前記押下の動作に応じて起動されて前記移動端末の前記画面上で前記ユーザに提供される。
【００１１】
好ましくは、前記移動端末は、さらに、それぞれの前記移動端末間のデータ通信のために他の前記移動端末に寄せ集められる寄せ集めインタフェースを含む。
【００１２】
好ましくは、前記状態決定手段は、さらに、前記移動端末が前記マスタ動作状態に入ることを示す前記状態決定指示に応じて前記マスタ状態に入ると、他の移動端末に前記スレーブ動作状態に入ることを示す前記状態決定指示を送出するように構成されている。
【００１３】
好ましくは、前記表示分割手段は、さらに、前記移動端末が前記マスタ動作状態に入るのに応じて動作するために起動されるように構成されている。
【００１４】
好ましくは、前記状態決定手段は、さらに、前記状態決定指示に従って前記移動端末を前記マスタ動作状態から出させ、前記移動端末が前記マスタ動作状態から出るのに応じて他の移動端末に前記スレーブ状態から出ることを示すスレーブ終了指示を送出するように構成されている。
【００１５】
好ましくは、前記状態決定手段は、さらに、前記移動端末が前記スレーブとして動作する場合、前記移動端末が前記マスタとの接続を失ってロスト状態になると、前記ロスト状態に従っておよび応じて、前記スレーブ動作状態から出ることを示す前記スレーブ終了指示を送出するように構成されている。
【００１６】
好ましくは、前記表示分割手段は、前記組合型端末装置中のそれぞれの前記移動端末の前記画面資源をリアルタイムに監視し、監視した画面資源に従って前記マスタの前記表示内容をリアルタイムに分割する。
【００１７】
好ましくは、前記表示切替手段は、さらに、前記移動端末が前記スレーブとして動作する場合、前記スレーブ終了指示を受信すると、前記分割された表示データの表示を終了し、前記移動端末のバックグラウンドで走行しているタスクをフォアグラウンドで走行するように回復する。
【００１８】
好ましくは、前記サブタスク実行手段は、さらに、前記移動端末が前記スレーブとして動作する場合、前記スレーブ終了指示を受信すると、前記サブタスクの実行を終了する。
【００１９】
好ましくは、前記利用可能な資源の情報は、ＣＰＵ資源、ストレージ資源、ネットワーク資源、および電力資源の少なくとも１つを含む。
【００２０】
好ましくは、前記マスタ中の前記資源割当手段は、前記マスタの計算タスクを計算サブタスクに分割し、前記スレーブの前記ＣＰＵ資源に従って対応する計算サブタスクを前記スレーブに送り、前記スレーブ中の前記サブタスク実行手段は、前記受信した計算サブタスクに従って前記スレーブの前記ＣＰＵ資源を使用して前記計算サブタスクを実行し、或いは、
前記マスタ中の前記資源割当手段は、前記マスタのストレージタスクをストレージサブタスクに分割し、前記スレーブの前記ストレージ資源に従って対応するストレージサブタスクを前記スレーブに送り、前記スレーブ中の前記サブタスク実行手段は、前記受信したストレージサブタスクに従って前記スレーブの前記ストレージ資源を使用して前記ストレージサブタスクを実行し、或いは、
前記マスタ中の前記資源割当手段は、前記マスタのアップロード或いはダウンロードタスクをアップロード或いはダウンロードサブタスクに分割し、前記スレーブの前記ネットワーク資源に従って対応するアップロード或いはダウンロードサブタスクを前記スレーブに送り、前記スレーブにおける前記サブタスク実行手段は、前記受信したアップロード或いはダウンロードサブタスクに従って前記スレーブの前記ネットワーク資源を使用して前記アップロード或いはダウンロードサブタスクを実行し、或いは、
前記マスタは、前記スレーブの前記電力資源を取得し、前記マスタ或いは或る前記スレーブの電力が不十分であれば、前記マスタは、充電タスクを生成し、前記マスタは、十分な電力を有する前記スレーブ或いは前記マスタが電力の不十分な前記マスタ或いは前記スレーブを充電するように、前記充電タスクを電力の十分な一つの前記スレーブ或いは前記マスタに割り当て、もしくは、前記マスタの前記資源割当手段は、前記充電タスクを充電サブタスクに分割し、前記充電資源に従って対応する充電サブタスクを他の前記スレーブ或いは前記マスタに送り、前記受信した充電サブタスクに従って、前記スレーブ中の前記サブタスク実行手段或いは前記マスタは、前記スレーブ或いは前記マスタの前記充電資源を使用して、電力の不十分な前記マスタ或いは前記スレーブを充電する。
【００２１】
好ましくは、前記資源統計手段は、ステレオスピーカシステムを形成するために、前記マスタおよび前記スレーブが有するスピーカの統計をとり、前記資源割当手段は、前記組合型端末装置のオーディオの左チャンネルを左側に配置された前記スピーカに割り当て、前記オーディオの右チャネルを右側に配置された前記スピーカに割り当て、前記オーディオの中央チャネルを中央に配置された前記スピーカに割り当てる。
【００２２】
好ましくは、前記移動端末は、さらに、前記移動端末が寄せ集め状態である場合、前記組合型端末装置中に前記マスタとして動作する前記移動端末が存在するかどうか問合せを通じて決定するように構成されたマスタ問合せモジュールを含み、前記組合型端末装置中にマスタとして動作する前記移動端末が存在すると、前記マスタ問合せモジュールは、前記状態決定手段に前記移動端末は前記スレーブであるとしたことを示す前記状態決定指示を送出する。
【００２３】
好ましくは、前記移動端末は、さらに、
前記画面の相反する両側に位置し、相互に平行する平面である第一側表面及び第二側表面と、
前記第一側表面に設置される第一磁気吸着手段及び前記第二側表面に設置される第二磁気吸着手段と、を含み、前記第一磁気吸着手段と前記第二磁気吸着手段は、現在の前記移動端末に他の前記移動端末が寄せ集められる時に、現在の前記移動端末の前記第一側表面における前記第一磁気吸着手段が他の前記移動端末の前記第二側表面における前記第二磁気吸着手段と相互に吸引し、現在の前記移動端末の前記第一側表面が他の前記移動端末の前記第二側表面と相互に合わさるように貼り付けられる位置に配置される。さらに好ましくは、前記第一磁気吸着手段が前記第一側表面に突出しないと共に、前記第二磁気吸着手段が前記第二側表面に突出しない。
【００２４】
好ましくは、前記寄せ集めインタフェースは、
前記第一側表面に設置される第一導電部と、
前記第二側表面に設置される第二導電部と、を含み、
前記第一導電部と前記第二導電部は、現在の前記移動端末の前記第一側表面が他の前記移動端末の前記第二側表面と相互に合わさるように貼り付けられる時に、現在の前記移動端末の前記第一側表面における前記第一導電部が他の前記移動端末の前記第二側表面における前記第二導電部と相互に電気接触する位置に配置される。
【００２５】
好ましくは、前記第一導電部と前記第二導電部の少なくとも一つは、それが位置する側表面に垂直する方向に沿って移動できるように、弾性材料により製造され、或いは、偏るようにバネによって押圧される。
【００２６】
好ましくは、前記第一導電部は、複数の弓形金属板からなり、前記第二導電部は、前記第二側表面に窪み、現在の前記移動端末の前記第一導電部が他の前記移動端末の前記第二導電部と相互に当接して、前記第一導電部によりそれが位置する側表面に垂直する方向に沿って変形を生成させることにより、他の前記移動端末の前記第二側表面が現在の前記移動端末の前記第一側表面と相互に合わさるように貼り付けられる。或いは、好ましくは、前記第一側表面は、第一溝を有し、前記第一導電部は、前記第一溝に回転可能に接続され、前記第一導電部は、第一溝の外部に出るように回転して他の前記移動端末の前記第二導電部に接触することが可能であり、かつ、前記第一導電部は、前記第一溝内へ回転して他の前記移動端末の前記第二導電部との接触を断つことが可能である。
【００２７】
好ましくは、前記第一導電部と前記第二導電部の少なくとも１つは、張出位置と引返位置との間に移動可能である可動導電部が形成され、前記可動導電部が前記張出位置になるとそれの位置する側表面に突出する。好ましくは、前記可動導電部が位置する側表面には、前記可動導電部を収容する凹部を有する。
【００２８】
好ましくは、前記移動端末は、さらに、前記凹部を閉鎖する取外し可能な導電部蓋部を含み、前記導電部蓋部が前記凹部を閉鎖すると、前記導電部蓋部の表面と前記委導電部蓋部の位置する側表面とが同一平面となる。
【００２９】
好ましくは、前記第一側表面及び／或いは前記第二側表面における手動操作キーをさらに含み、前記手動操作キーを、その輪郭がその側表面を上回らせないように、その位置する側表面の第二溝に形成する。
【００３０】
好ましくは、前記移動端末は、全体に丸角がない矩形である。
【００３１】
好ましくは、前記画面は、ほぼ矩形であり、Ｌを前記画面の長さ、Ｗを前記画面の幅とすると、Ｌ：Ｗ≧２．５となる。
【００３２】
好ましくは、Ｌ：Ｗ＝（２０５〜２１５）：［（２９０〜３０４）／ｎ］となり、ただし、ｎは正の整数となり、かつ、ｎ≧４である。
【００３３】
好ましくは、ｎは、ｎ≦６となる。さらに好ましくは、ｎは、４或いは５である。
【００３４】
好ましくは、Ｗは、１５０ｍｍ≧Ｗ≧３０ｍｍとなる。選択的に、Ｗは、９０ｍｍ≧Ｗ≧５０ｍｍとなる。
【００３５】
好ましくは、Ｌは、２０５〜２１５ｍｍである。
【００３６】
好ましくは、Ｗは、５８〜６１ｍｍである。選択的に、Ｗが６０ｍｍであって、Ｌが２１０ｍｍである。
【００３７】
好ましくは、Ｗは、７２〜７６ｍｍである。選択的に、Ｗが７４ｍｍであり、Ｌが２１０ｍｍである。
【００３８】
好ましくは、前記画面は、ほぼ矩形であり、Ｌ：Ｗ＝（２０５〜２１５）：［（２９０〜３０４）／ｎとなり、Ｌを前記画面の長さ、Ｗを前記画面の幅とすると、ｎが正の整数であり、かつ、ｎ≧２となる。さらに好ましくは、前記ｎは、２或いは３である。
【００３９】
好ましくは、Ｌは、２０５〜２１５ｍｍである。
【００４０】
好ましくは、前記画面の幅方向では、額縁レス、或いは、幅が１ｍｍより小さい狭額縁で前記移動端末における対向して設置される２つの側辺を形成する。
【００４１】
好ましくは、前記画面の長手方向では、額縁レス、或いは、狭額縁で前記移動端末における対向して設置される２つの側辺の少なくとも一つを形成する。
【００４２】
好ましくは、前記表示内容は、仮想入力デバイスを含み、前記表示分割手段は、さらに、前記仮想入力デバイスに対応する前記表示データを全体として少なくとも１つの分割された表示データに分割するように構成されている。
【００４３】
本発明の他の観点によれば、前記画面の幅方向及び／或いは長手方向では、前記移動端末が、Ｎ個寄せ集められ、Ｎ個の前記移動端末の前記画面が全体として単一矩形画面に生成される組合型端末装置が提供される。
【００４４】
本発明は、さらに、前記移動端末が前記画面の幅方向および／または長手方向にＮ個寄せ集められて形成された組合型端末装置であって、前記移動端末のＭ個の前記画面は全体として前記組合型端末装置の画面として使用される単一矩形画面を形成し、前記移動端末のＮ−Ｍ個の前記画面は全体として仮想入力デバイス表示用の入力画面として動作するために単一矩形画面を形成し、前記入力画面は、仮想キーボードおよび前記組合型端末装置の入力インタフェースとして働く仮想タッチパッドを提供するために使用され、Ｎ＞Ｍである、組合型端末装置が提供される。
【００４５】
好ましくは、前記組合型端末装置の画面として使用される前記移動端末、および、前記組合型端末装置の前記入力画面として使用される前記移動端末は、有線または無線通信により接続されている。
【００４６】
本発明のさらに他の観点によれば、単一の組合型端末装置に組み合わされる複数の移動端末であって、それぞれの前記移動端末が選択的にマスタ動作状態のマスタとして動作し、スレーブ動作状態のスレーブとして動作することができる複数の移動端末を寄せ集める制御に使用される、移動端末の寄せ集め制御方法であって、
前記組合型端末装置を構成するためにデータ通信用のそれぞれの寄せ集めインタフェースを通じて前記複数の移動端末を互いに寄せ集め、
ユーザまたは前記組合型端末装置中の他の移動端末から入力される状態決定指示に従って、現在の前記移動端末を選択的に前記マスタ動作状態あるいは前記スレーブ動作状態に入らせ、
前記マスタは、前記組合型端末装置中の複数の前記移動端末に対応する複数の分割された表示データを取得するために、前記組合型端末装置中のそれぞれの前記移動端末の画面資源に従って前記マスタの表示内容を分割し、前記スレーブに対して対応する前記分割された表示データを送信し、
前記マスタから前記分割された表示データを受信すると、前記スレーブは、前記移動端末の現実行タスクをバックグラウンドで非表示で実行し、前記受信した分割された表示データを表示する、
寄せ集め制御方法が提供される。
【００４７】
好ましくは、前記寄せ集め制御方法は、さらに、
前記スレーブは、前記スレーブの現在の利用可能な資源の情報の統計をとり、前記マスタに前記利用可能な資源の情報を送信し、
前記マスタは、前記スレーブの前記利用可能な資源の情報に従って前記マスタの現実行タスクを複数のサブタスクに分割し、前記スレーブに対して対応するサブタスクを送信し、
前記スレーブは、前記マスタからの前記サブタスクに従って前記利用可能な資源を使用して前記サブタスクを実行する。
【００４８】
好ましくは、前記寄せ集め制御方法は、さらに、
前記移動端末は、寄せ集め状態に入るかどうかを常に監視し、
前記移動端末が前記寄せ集め状態に入るのに応じて、前記ユーザが前記状態決定指示を入力することができる状態選択インタフェースを起動して、前記状態選択インタフェースを前記移動端末の前記画面上で前記ユーザに提供する。
【００４９】
好ましくは、前記寄せ集め制御方法は、さらに、
前記移動端末が前記マスタ動作状態に入ることを示す前記状態決定指示に応じて前記マスタ状態に入ると、前記マスタは、他の移動端末がスレーブ動作状態に入るように、他の移動端末に前記スレーブ動作状態に入ることを示す前記状態決定指示を送出する。
【００５０】
好ましくは、前記マスタが表示内容を分割するステップは、前記移動端末が前記マスタ動作状態に入るのに応じて行われるべく起動される。
【００５１】
好ましくは、前記ユーザによって入力された前記状態決定指示に従って前記移動端末を前記マスタ動作状態から出させ、前記移動端末が前記マスタ動作状態から出るのに応じて、前記スレーブ動作状態から出ることを示すスレーブ終了指示を他の移動端末に送出する。
【００５２】
好ましくは、前記スレーブ終了指示を受信すると、前記スレーブは、前記分割された表示データの表示を終了し、前記スレーブのバックグラウンドで走行しているタスクをフォワードグラウンドで走行するように回復する。
【００５３】
好ましくは、前記スレーブ終了指示を受信すると、前記スレーブは前記サブタスクの実行を終了する。
【００５４】
好ましくは、前記利用可能な資源の情報は、ＣＰＵ資源、ストレージ資源、ネットワーク資源、および電力資源の少なくとも１つを含む。
【００５５】
好ましくは、前記移動端末が寄せ集め状態に入ると、前記移動端末は、前記組合型端末装置中に前記マスタとして動作する前記移動端末が存在するかどうか問合せによって決定し、前記組合型端末装置中に前記マスタとして動作する前記移動端末が存在すると、前記移動端末は前記スレーブ動作状態に入る。
【発明の効果】
【００５６】
移動端末および寄せ集め制御の方法の上記技術方策から明らかなように、本発明の移動端末の全てはマスタ動作状態とスレーブ動作状態間で変移できる。移動端末が他の移動端末に寄せ集められ、或いは組合型端末装置に寄せ集められるとき、状態決定手段は、状態決定指示に従ってマスタあるいはスレーブとして動くことを選択することができ、マスタとして動くとき、表示分割手段は、マスタの表示データを分割して複数の分割された表示データを生成し、対応する分割表示データをスレーブに送信する。スレーブとして動くとき、分割された表示データを受信すると、表示切替手段は、移動端末の現実行タスクをバックグラウンドで、非表示で実行し、受信した分割された表示データ表示する。そのため、スレーブは、マスタによって表示された内容を支障なく表示することができ、数多くのスレーブが存在するとき、複数のスレーブで作られた比較的大きな画面でユーザに対して内容を表示することができ、大きな表示面積に対する人々の要求を満たすことができる。
【００５７】
また、本発明に係る移動端末は、相互に寄せ集めることにより組合型端末装置を形成することができる。そして、このような移動端末の画面は、片手操作に適する幅が設定され、寄せ集めによって組合型端末装置が形成される。移動端末を相互に寄せ集めることができることから、移動端末に適当な大きさ及び寄せ集めの数量を設定すれば、相互に寄せ集められた組合型端末装置の画面をＡ４の大きさにすることができる。このような組合型端末装置の画面により出版物の資料を表示する場合には、黒い領域を消去することができる。また、本発明の技術方案に該当する旧移動端末を相互に寄せ集め、組合型端末装置を形成する場合に、回収による再生による二次汚染という問題を解決することができる。
【００５８】
さらに、本発明の技術方案によれば、本発明に係る移動端末の画面の反対する両側に、例えば左右側或いは上下側には、相互に吸引する第一磁気吸着手段と第二磁気吸着手段とを有する。このような移動端末の第一磁気吸着手段や第二磁気吸着手段と他の移動端末の第二磁気吸着手段や第一磁気吸着手段とが相互に吸引し、移動端末間で相互に寄せ集め状態を形成することができる。第一磁気吸着手段と第二磁気吸着手段とによれば、寄せ集め専用のスロットを移動端末に設置する必要がなくなる。従って、移動端末の手触りを維持することができる。さらに、画面の第一側表面及び第二側表面が相互に平行することにより、１つの移動端末とその他の移動端末とを側面に貼り付け、複数の移動端末からなる組合型端末装置の画面が同一の水平面となり、表示の効果及び読む感覚を向上させることができる。
【００５９】
さらに、以上の本発明の技術方案の説明を踏まえて、本発明の技術方案によれば、従来技術における表示比率が１６：９や１６：１０（即ち、アスペクト比が１．７８或いは１．６である）の画面に比べると、本発明に係る画面のアスペクト比を少なくとも２．５に設置できることがわかる。そのため、本発明の画面は、より細長い形状である。そうすると、本発明の画面は、同じ幅であれば、より大きい面積を表示することができる。言い換えると、本発明の画面は、同じ表示面積であれば、比較的小さい幅を有し、人々の片手操作を便宜に行うことができる。
【００６０】
また、本発明は、画面を従来技術に比べて大幅に長くしたことで、このような画面により携帯電話機の利用者が容易に片手操作を行えるとともに、一列の寄せ集めに限られないが、複数の画面を用いて一列に寄せ集めることによりＡ４用紙に対応する比率を実現できることを驚くことに発見した。また、利用者は、携帯電話機について旧製品を新しいものに交替するがこのような複数の画面を有する携帯電話機をそのまま利用したい場合に、これらの携帯電話機を前述の通りに寄せ集めて、組合型端末装置を形成することができる。
【００６１】
通常は、ＣＰＵ或いは記憶容量の不足などの画面と関係しない他の理由により、本発明に係る画面を有する携帯電話機が利用者に使い捨てられることが理解できる。本発明の提供したこの特定のアスペクト比を有する画面は、使い捨てられた旧携帯電話機に対応する利用価値を提供した。これは旧携帯電話機を含む複数の携帯電話機を組合型端末装置に寄せ集める時に、旧携帯電話機の画面の表示性能を主に利用し、この組合型端末装置における他の能力を、該組合型端末装置に性能がより良い新しい携帯電話機により提供可能であるためである。
【００６２】
特に、画面の１つの主な性能は利用者に資料を読ませることであり、適当な数量の移動端末を寄せ集め、組合型端末装置の画面をほぼＡ４用紙の比率にする際に、Ａ４用紙の比率に準ずる出版物の資料を表示する時に現れた黒い領域を殆ど消去することができる。従って、寄せ集められた画面によりＡ４用紙の比率の資料をユーザが読むのに便利であり、旧携帯電話機の利用価値を大幅に向上させることができる。
【００６３】
以下には、図面を参照しながら、本発明の具体的な実施例を詳しく説明し、当業者にとって本発明の上記目的、利点及び特徴及び他のものをより明確にする。
【図面の簡単な説明】
【００６４】
以下には、図面を参照しながら、限定的な形態ではなく、模式的な形態で本発明の幾つか具体的な実施例を詳細に説明する。図面には、同じ部分や類似な部分に同じ符号を付ける。これらの図面を必ず実際の比率に従って描く必要がないことは、当業者が理解すべきである。
【図１】本発明の一実施例による移動端末のブロック図である。
【図２】本発明の一実施例による移動端末の寄せ集め制御方法のフローチャートである。
【図３】本発明の一実施例による移動端末の構成模式図である。
【図４】本発明の一実施例による二つの移動端末からなる組合型端末装置の模式図である。
【図５】本発明の一実施例による三つの移動端末からなる組合型端末装置の模式図である。
【図６】本発明の他の実施例による四つの移動端末からなる組合型端末装置の模式図である。
【図７】本発明の一実施例による五つの移動端末からなる組合型端末装置の模式図である。
【図８】本発明の一実施例による第一導電部と第二導電部の模式図である。
【図９】本発明の他の実施例による第一導電部と第二導電部の模式図である。
【図１０】本発明の他の実施形態による移動端末の寄せ集め制御方法のフローチャートである。
【発明を実施するための形態】
【００６５】
本発明においては、複数の移動端末２０は、単一の組合型端末装置３０に組み合わされるために寄せ集めることができ、それぞれの移動端末２０は、選択的にマスタ動作状態中のマスタとして動作することができ、スレーブ動作状態中のスレーブとして動作することができる。図１を参照すると、それぞれの移動端末２０は、寄せ集め管理モジュールａを有し、寄せ集め管理モジュールａは、状態決定手段ａ１、表示分割手段ａ２、および表示切替手段ａ３を含む。
【００６６】
状態決定手段ａ１は、例えば手動によるクリックによって生成された状態決定指示に従って、移動端末２０を選択的にマスタ動作状態あるいはスレーブ動作状態に入らせるように構成されている。表示分割手段は、移動端末２０がマスタとして動作するとき、組合型端末装置３０における各移動端末２０の数として表現される画面資源に従ってマスタの表示内容を分割し、組合型端末装置３０における複数の移動端末２０に対応する複数の分割された表示データを取得し、対応する分割された表示データをスレーブに送信するように構成されている。表示切替手段は、移動端末２０がスレーブとして動作する場合、マスタから分割された表示データを受信すると、移動端末２０で現在実行しているタスクをバックグラウンドで、非表示で実行し、受信した分割された表示データを表示するように構成されている。表示内容は、仮想入力デバイスを含み、表示分割手段は、仮想入力デバイスに対応する表示データ全体を少なくとも１つの分割された表示データに分割し、それを移動端末２０に送る。一実施例では、仮想入力デバイスを表示するための移動端末２０は、その仮想入力デバイスだけを表示する。
【００６７】
好ましい実施例では、寄せ集め管理モジュールａは、さらに、資源統計手段ａ４、資源割当手段ａ５、および、サブタスク実行手段ａ６を含む。資源統計手段ａ４は、移動端末２０がスレーブとして動作する場合、移動端末２０の現在利用可能な資源の情報の統計をとり、利用可能な資源の情報をマスタに送るように構成されている。資源割当手段ａ５は、移動端末２０がマスタとして動作する場合、マスタで現在行われているタスクをスレーブの利用可能な資源の情報に従って複数のサブタスクに分割し、対応するサブタスクをスレーブに送るように構成されている。サブタスク実行手段ａ６は、移動端末２０がスレーブとして動作する場合、マスタからのサブタスクに従って、利用可能な資源を使用してサブタスクを実行するように構成されている。
【００６８】
利用可能な資源の情報は、統計がとられるそれぞれの移動端末２０のＣＰＵ資源、ストレージ資源、ネットワーク資源、および電力資源を含む。例えば、ネットワーク資源は、アップロード帯域幅およびダウンロード帯域幅であって良く、ＣＰＵ資源は、バックグラウンドでタスクを動かせているとき以外はＣＰＵの残余計算能力であって良く、ストレージ資源は、それぞれの移動端末２０の利用可能なハードディスク容量であって良く、電力資源は、設定タスクが設定時間動かされた後の残余電力であって良い。後述する第一導電部および第二導電部を通じて、それぞれの移動端末２０は利用可能な資源を共有することができる。
【００６９】
本発明の一実施例では、移動端末２０は、さらに、ユーザによって入力される状態決定指示を受けるための状態選択インタフェース（ウインドウ、メニュー）を含む。他の実施例では、移動端末２０は、寄せ集め検出モジュールを含み、その寄せ集め検出モジュールは、移動端末２０が寄せ集め状態に入るかどうかを常に監視し、移動端末２０が寄せ集め状態に入ったことが監視されると、状態選択インタフェースは、当該監視された寄せ集め状態に応じて、起動されて移動端末２０の画面１０上でユーザに提供される。状態選択インタフェースを有するために、移動端末２０が組合型端末装置３０を構成するとき、移動端末２０内の機能切替モジュールは、移動端末２０のオリジナルな物理キーが押下されたときに、状態選択インタフェースの呼出関数を呼出して、移動端末２０の画面１０上でユーザに状態選択インタフェースを提供する。前記物理キーの予め定められた機能は、仮想キーの形式で、移動端末２０の画面１０上でユーザに提供される。
【００７０】
一実施例では、状態決定手段は、移動端末２０がマスタ動作状態に入ることを指示する状態決定指示に応じてマスタ動作状態に入るとき、スレーブ動作状態に入ることを指示する状態決定指示を他の移動端末２０に送出するように構成されている。従って、他の移動端末２０をユーザが一つ一つ設定する必要無しに、他の移動端末２０は自動的にスレーブとして動作する。同じ概念に基づいて、一実施例では、表示分割手段は、移動端末２０がマスタ動作状態に入るのに応じて動作するために起動されるように構成されており、従って、マスタの表示内容は、それぞれのスレーブからできている大きな画面に自動的に表示される。
【００７１】
状態決定手段ａ１が状態決定指示に従って移動端末２０をマスタ動作状態から出させたとき、状態決定手段ａ１は、移動端末２０がマスタ動作状態から出るのに応じて、スレーブ動作状態から出ることを示すスレーブ終了指示を他の移動端末２０に送出する。従って、それぞれの移動端末２０がスレーブとして動作している場合、スレーブ終了指示を受信すると、分割された表示データの表示が終了され、移動端末２０のバックグラウンドで走行しているタスクがフォアグラウンドで走行するように回復する。また、移動端末２０がスレーブとして動作している場合、スレーブ終了指示を受信すると、サブタスク実行手段はサブタスクの実行を終了する。
【００７２】
マスタがスレーブとの接続を喪失しロスト状態中であれば、例えば、マスタが予期せずクラッシュし、或いは直接抜き取られると、移動端末２０の状態決定手段はスレーブとして、ロスト状態に従っておよびロスト状態に応じて、その各移動端末に対してスレーブ動作状態から出ることを示すスレーブ終了指示を送出する。さらに、スレーブが組合型端末装置３０から抜き去られていない、即ち組合型端末装置３０に寄せ集められているとき、表示分割手段は、組合型端末装置３０内のそれぞれの移動端末２０の画面資源をリアルタイムに監視し、監視された画面資源に従ってマスタの表示内容をリアルタイムに分割する。従って、組合型端末装置３０によって表示されるマスタの表示内容は、スレーブの数で変化し得る。
【００７３】
一実施例では、移動端末２０は、さらに、マスタ問合モジュールを含み、移動端末２０が寄せ集め状態である場合、組合型端末装置中にマスタとして動作する或る移動端末２０が存在するかどうかマスタ問合モジュールによって問合せを通じて決定することができる。組合型端末装置にマスタとして動作する或る移動端末２０が存在するとき、マスタ問合せモジュールは、自移動端末２０はスレーブであることを示す状態決定指示を状態決定手段に送出する。従って、或る移動端末２０が組合型端末装置３０に寄せ集められるとき、その移動端末２０はマスタの表示内容を表示するために自動的にスレーブとして動作する。
【００７４】
図２を参照すると、本発明の一実施例は、さらに、移動端末の寄せ集め制御用の方法を提供し、その方法は、単一の組合型端末装置３０に組み合わされる複数の移動端末２０の寄せ集めを制御するために使用され、それぞれの移動端末２０は、選択的にマスタ動作状態のマスタとして動作し、スレーブ動作状態のスレーブとして動作することができるものであり、移動端末の各々の寄せ集めは以下のステップを含む。
【００７５】
ステップＳ１：移動端末２０を他の移動端末２０或いは組合型端末装置３０に寄せ集めること、特に、組合型端末装置３０を構成するためにデータ通信用のそれぞれの寄せ集めインタフェースを通じて複数の移動端末を互いに寄せ集める。
【００７６】
ステップＳ２：移動端末２０がマスタ或いはスレーブの何れとして動作するかを選択すること、特に、ユーザまたは組合型端末装置３０における他の移動端末から入力される状態決定指示に従って、現在の移動端末２０を選択的にマスタ動作状態あるいはスレーブ動作状態に入らせる。
【００７７】
ステップＳ３：マスタとして動作するとき、組合型端末装置における複数の移動端末に対応する複数の分割された表示データを取得するために、組合型端末装置３０におけるそれぞれの画面資源に従ってマスタの表示内容を分割し、対応する分割された表示データをスレーブに送信する。
【００７８】
ステップＳ４：スレーブとして動作するとき、移動端末２０が、マスタから分割された表示データを受信し、移動端末２０で現在実行しているタスクをバックグラウンドで非表示に実行し、受信した分割された表示データを表示する。
【００７９】
移動端末および寄せ集め制御の方法の上記実施例によれば、全ての移動端末２０はマスタ動作状態とスレーブ動作状態間で変移できるので、移動端末２０が他の移動端末に寄せ集められ、或いは組合型端末装置３０に寄せ集められるとき、移動端末２０は、状態決定指示に従ってマスタあるいはスレーブとして動くことを選択することができる。マスタとして動くとき、マスタの表示データを複数の分割された表示データに分割し、対応する分割表示データをスレーブに送信する。スレーブとして動くとき、分割された表示データを受信し、現実行タスクをバックグラウンドで、非表示で実行し、受信した分割された表示データ表示する。そのため、スレーブは、マスタによって表示された内容を表示することができ、数多くのスレーブが存在するとき、複数のスレーブで作られた比較的大きな画面でユーザに対して内容を表示することができ、大きな表示面積に対する人々の要求を満たすことができる。移動端末２０がマスタとして動作するとき、それと寄せ集められた組合型端末装置３０における元のマスタは自動的にその移動端末２０のスレーブとして動作することに注目する必要がある。
【００８０】
本発明の寄せ集め制御の方法は、さらに、移動端末２０がスレーブとして動作する場合、資源統計手段ａ４が現在利用可能な資源の情報の統計をとり、それをマスタに送信すること、移動端末２０がマスタとして動作する場合、資源割当手段ａ５がマスタで現在実行しているタスクを複数のサブタスクに分割し、対応するサブタスクをそれぞれのスレーブに送ること、移動端末２０がスレーブとして動作している場合、サブタスク実行手段ａ６が利用可能な資源を使用してサブタスクを実行すること、を含む。
【００８１】
寄せ集め制御方法の好ましい実施例では、移動端末２０の状態選択インタフェースは、ユーザによって入力された状態決定指示を受信する。移動端末２０の寄せ集め検出モジュールは、移動端末２０が寄せ集め状態に入ったかどうかを常に監視し、状態選択インタフェースは、移動端末２０が寄せ集め状態に入ったことに応じて起動され、移動端末２０の画面１０上でユーザに提供される。
【００８２】
寄せ集め制御方法の好ましい実施例では、移動端末２０の寄せ集めインタフェースは、それぞれの移動端末２０間のデータ通信のために他の移動端末２０に寄せ集められる。移動端末２０がマスタ動作状態に入ることを示す状態決定指示に応じてマスタ動作状態に入ると、状態決定手段ａ１は、スレーブ動作状態に入ることを示す状態決定指示を他の移動端末２０に送出する。このとき、表示分割手段ａ３は、移動端末２０がマスタ動作状態に入ることに応じて起動されて動作する。
【００８３】
寄せ集め制御方法の好ましい実施例では、状態決定手段ａ１は、状態決定指示に従って移動端末２０をマスタ動作状態から出させ、スレーブ動作状態から出ることを示すスレーブ終了指示を他の移動端末に送出する。移動端末２０がスレーブとして動作する場合、スレーブ終了指示を受信すると、表示切替手段ａ３は、分割された表示データの表示を終了し、移動端末２０のバックグラウンドで走行しているタスクをフォアグラインドで走行するように回復する。移動端末２０がスレーブとして動作している場合、スレーブ終了指示を受信すると、サブタスク実行手段ａ６は、サブタスクの実行を終了する。
【００８４】
寄せ集め制御方法の好ましい実施例では、移動端末２０が寄せ集め状態で動作している場合、移動端末２０のマスタ問合モジュールは、組合型端末装置３０内にマスタとして動作している移動端末が存在するかどうか問合せを通じて決定し、組合型端末装置３０内にマスタとして動作している移動端末が存在するとき、マスタ問合モジュールは、当該移動端末はスレーブであるとすることを示す状態決定指示を状態決定手段に送出する。
【００８５】
図３に示されるように、移動端末２０は、全体に丸角を有さない矩形である。組合型端末装置３０の移動端末２０は同じであってもよいし、異なってもよい。なお、移動端末２０の全ては、画面１０と、画面１０の相反する両側に位置し、相互に平行する平面である第一側表面ＳＬと第二側表面ＳＲとを含む。図３では、第一側表面ＳＬが左側面であり、第二側表面ＳＲが右側面である。他の実施例では、第一側表面ＳＬが上側面であってもよく、第二側表面ＳＲ下側面であってもよい。他の実施例では、第一側表面ＳＬが左側面や右側面であってもよく、第二側表面ＳＲが上側面や下側面であってもよい。
【００８６】
第一側表面ＳＬには、第一磁気吸着手段（図示せず）が設置され、第二側表面には、第二磁気吸着手段（図示せず）が設置される。第一磁気吸着手段と第二吸着手段は、鉄、コバルトやニッケル、或いは、鉄、コバルトやニッケルを吸引できる磁性材である。第一磁気吸着手段と第二磁気吸着手段は、現在の移動端末に他の移動端末が寄せ集められる時に、現在の移動端末の第一側表面における第一磁気吸着手段と他の移動端末の第二側表面における第二磁気吸着手段とが相互に吸引し、現在の移動端末の第一側表面と他の移動端末の第二側表面とが相互に合わさるように貼り付けられる位置に配置される。
【００８７】
この技術方案によれば、ある移動端末の第一磁気吸着手段／第二磁気吸着手段と他の移動端末の第二磁気吸着手段／第一磁気吸着手段とが相互に吸引し、移動端末間に相互に寄せ集め状態を形成することができる。第一磁気吸着手段と第二磁気吸着手段により、移動端末２０に寄せ集め専用のスロットを設置する必要がない。従って、移動端末の手触りを維持することができる。そして、画面１０と移動端末２０の第一側表面ＳＬ、第二側表面ＳＲとが相互に平行することにより、一つの移動端末と他の移動端末を側表面に貼り付け、複数の移動端末２０からなる組合型端末装置３０の画面が同一の水平面となり、表示の効果及び読む感覚を向上させることができる。さらに、移動端末２０は、移動端末２０間のデータ通信のために他の移動端末２０と寄せ集められるための寄せ集めインタフェースを有する。
【００８８】
本発明の一実施例では、第一磁気吸着手段が第一側表面ＳＬに突出しないとともに、第二磁気吸着手段が第二側表面ＳＲに突出しない。これには、以下の二つの形態が含まれている。一つは、第一磁気吸着手段が第一側表面ＳＬの一部に所属され（或いは、第一磁気吸着手段と第一側表面ＳＬとが同一平面となる）、第二磁気吸着手段が第二側表面ＳＲの一部に所属され（或いは第二磁気吸着手段と第二側表面ＳＲとが同一平面となる）、寄せ集め時に異なる移動端末における第一側表面ＳＬと第二側表面ＳＲとが直接に接触し相互に吸引することである。もう一つは、第一磁気吸着手段が第一側表面ＳＬの下方に設置され、第二磁気吸着手段が第二側表面ＳＲの下方に設置され、第一磁気吸着手段と第二磁気吸着手段が相互に吸引し、第一側表面ＳＬと第二側表面ＳＲとが相互に接触している一方、第一磁気吸着手段と第二磁気吸着手段が相互に接触していないことである。
【００８９】
本発明の一実施例では、移動端末２０に、第一側表面に設置される第一導電部と第二側表面に設置される第二導電部が含まれる。第一導電部と第二導電部は、現在の移動端末２０の第一側表面が他の移動端末２０の第二側表面と相互に合わさるように貼り付けられる時に、この移動端末２０の第一側表面における第一導電部と他の移動端末２０の第二側表面における第二導電部が相互に電気接触することにより、第一導電部と第二導電部を介して異なる移動端末間で充放電やデータ伝送を行うことができる。一つの移動端末２０は、第一導電部或いは第二導電部に対応するベースを設置してもよい。ベースは、第一導電部或いは第二導電部に接触することにより充電或いはデータ伝送を行うためのものである。特に注意すべきところは、複数の移動端末２０により組合型端末装置３０を形成する時に、各移動端末２０の寄せ集め箇所が第一磁気吸着手段と第二磁気吸着手段により相互に吸引されるため、異なる移動端末２０間に第一導電部と第二導電部がぴったりと貼り付けられ、充電とデータ伝送の安定性を確保することができることである。
【００９０】
上記の説明によればわかるように、第一導電部と第二導電部が直接に接触する時に、剛性に接続すれば第一導電部と第二導電部に損傷を生成する恐れがあるため、第一導電部と第二導電部との少なくとも１つは、位置する側表面に垂直する方向に一定の移動量で移動できるように、弾性材料により製造され、或いは、偏るようにバネによって押圧される。第一導電部と第二導電部とは、一定の移動量を有するため、接触時における第一導電部と第二導電部の損傷を防止しつつ第一導電部と第二導電部との確実な接触を保証することができる。
【００９１】
本発明は、図８に示されたように、第一導電部と第二導電部の設計案をさらに提供する。図８では、第一導電部４１が複数の弓形金属板からなる。第二導電部４２は、薄い金属板であり、その外部の辺縁が第二側表面ＳＲと同一平面なり、全体的に第二側表面ＳＲの内部へ凹む。図８に示されたように、１つの移動端末２０の第一導電部４１と他の移動端末の第二導電部４２が対向して移動し、最終的に第一導電部４１と第二導電部４２が当接する場合に、弓形金属板により製造される第一導電部４１が、位置する第一側表面ＳＬに垂直する方向に変形を生じることにより、図８における第二側表面ＳＲと第一側表面ＳＬとが相互に合わさるように貼り付けられる。図８は、実線部分の第一導電部４１が変形前のものを示し、点線部分の第一導電部４１が変形済のものを示す。
【００９２】
本発明は、図９に示されたように、第一導電部と第二導電部の設計案をさらに提供する。図９では、第一側表面ＳＬが第一溝の４３を有し、第一導電部４１が第一溝４３に回転可能に接続され、例えば回転軸により第一溝４３の２つ壁面に回転可能に接続される。図９に示されたように、第一導電部４１は、第一溝４３の外部に出るように回転して、他の移動端末の第二導電部４２に接触し、第二導電部４２は金属製の板ばねからなる構成である。第一導電部４１は、図９における点線の部分に示されたように、第一溝４３内へ回転して他の移動端末の第二導電部４２との接触を断つことが可能である。
【００９３】
第一導電部４１と第二導電部４２とに係る上記した二つ種類の設計では、第一導電部４１が張出位置と引返位置との間に移動可能である可動導電部として形成される。可動導電部は、張出位置に位置すると、位置する側表面に突出する。他の実施例では、第二導電部４２も、可動導電部として設置されてもよい。図８と図９における第二導電部４２は、内部へ凹む弓形金属板として設置されてもよい。第一導電部４１と第二導電部４２がともに可動導電部である場合に、両者の損傷防止性能をさらに向上させることができる。
【００９４】
第一導電部４１と第二導電部４２とに係る上記した二つの設計では、可動導電部の位置する側表面に、可動導電部を収容する凹部である第一溝４３を有する。他の実施例では、可動導電部である第一導電部４１或いは第二導電部４２を、指で回すことにより、その位置する側表面に対して張出したり、或いは引返したりする時に、凹部が穴の形状であるため、第一導電部４１や第二導電部４２がこの穴の形状の凹部を通して張出や引返を行う。凹部には、凹部を閉鎖しかつ凹部に接続する取外し可能な導電部蓋部を設置する。しかも、導電部蓋部が凹部を閉鎖すると、導電部蓋部の表面と導電部蓋部の位置する側表面とが同一平面となる。導電部蓋部は、このような設計により、凹部の内部への塵侵入を防止することができる。また、導電部蓋部がその位置する側表面と同一平面となるため、移動端末２０の手触りに影響を与えることがない。
【００９５】
以上より、第一側表面ＳＬ或いは第二側表面ＳＲは、貼り付けと寄せ集めのためのものであり、可能であれば第一側表面ＳＬ或いは第二側表面ＳＲに携帯電話機のキーを設置しないようにする。移動端末２０の４つの側面の全てに他の移動端末２０を寄せ集める時には、第一側表面ＳＬ或いは第二側表面ＳＲに第二溝を設置し、手動操作キーを、輪郭がその側表面を上回らせないように第二溝に設置してもよい。当然ながら、一実施例に、第二溝が第一溝と同じであってもよい。
【００９６】
図６は本発明の一実施例による組合型端末装置の模式図である。図６は、組合型端末装置３０が４つの移動端末２０により寄せ集められ、図６における移動端末２０の２つの長辺が額縁レスである。図７に示したように、本発明によって提供される組合型端末装置３０は、５つの移動端末２０により画面１０の幅方向に沿って寄せ集められ、かつ、寄せ集められた各移動端末２０が同じ平面となり、このような画面１０の長さＬが組合型端末装置の幅Ｗ’となる。図７では、移動端末２０が携帯電話機であり、他の実施例では、移動端末２０がタブレットＰＣであってもよい。図６と図７では、組合型端末装置の長さＬ’と幅Ｗ’が２９７ｍｍと２１０ｍｍである。つまり、図６における移動端末２０の幅Ｗが５９．４ｍｍであり、長さＬが２１０ｍｍであり、Ｌ：Ｗ＝３．５となる。図７における移動端末２０の幅Ｗが７４．２５ｍｍであり、長さＬが２１０ｍｍであり、Ｌ：Ｗ＝２．８となる。図６と図７における組合型端末装置により出版物の資料を表示する場合に、全画面による表示だけではなく、黒い領域がないように表示を行うことができるとともに、この時のフォントは、出版物である紙のフォントの大きさと同じである。
【００９７】
図６と図７に示した組合型端末装置は、狭額縁の移動端末を用いて画面１０の幅方向に沿って寄せ集められて形成されてもよい。例えば、額縁が、幅が１ｍｍより狭いものを狭額縁として定義や限定してもよい。もちろん、額縁の幅は必要に応じて変更可能である。本発明の技術案によれば、本発明に、図６と図７に示した画面１０における幅方向の２つ側辺を額縁レスとする移動端末２０を利用することが好ましい。この時に、各移動端末２０の寄せ集め箇所は、読むことへ影響を与えないが、画面１０の幅方向の２つの側辺の幅が増加すると、漸次に読むことへ悪い影響を与える恐れがある。
【００９８】
特に、ある実施例では、組合型端末装置３０中のマスタの画面は、組合型端末装置の入力インタフェースとして働く仮想キーボードおよび仮想タッチパッド（仮想スライドコントロールパネル）を提供し、その入力インタフェースを通じてテキスト情報を入力することができる。他の実施例では、組合型端末装置３０の画面全体が、一つの一体となった仮想キーボードおよび仮想タッチパッドを提供し、その一体となった仮想キーボードは組合型端末装置３０の入力インタフェースとして使用される。勿論、組合型端末装置３０を構成する一部の移動端末２０の画面を使って仮想キーボードを提供してもよく、その一部の移動端末２０は、マスタとスレーブ、或いはスレーブの全てであってよい。そのような大きな表示面積を有する仮想キーボードは、組合型端末装置３０の使い勝手を大いに改善する。本発明の組合型端末装置３０の入力画面と表示画面とは互いに別々の画面であり、両画面は有線または無線方式によって接続されていてよいことに特に注意すべきである。入力画面と表示画面との間に９０度程度の角度があると、組合型端末装置３０は全体としてノート型コンピュータに似ている。
【００９９】
上記組合型端末装置３０では、資源統計手段は、ステレオスピーカシステムを形成するために、マスタおよびスレーブが有するスピーカの統計をとり、組合型端末装置のオーディオの左チャンネルは左側に位置するスピーカに割り当てられ、そのオーディオの右チャンネルは右側に位置するスピーカに割り当てられ、そのオーディオの中央チャンネルは中央に位置するスピーカに割り当てられる。
【０１００】
本発明の組合型端末装置３０の一実施例では、状態選択インタフェースは、移動端末２０が寄せ集め状態に入るのに応じて起動され、組合型端末装置３０の画面上でユーザに提供されるように構成されている。このように構成されているため、状態選択インタフェースは、元の組合型端末装置３０と新たに寄せ集められた移動端末２０の画面上にのみ表示される。他の実施例では、個々の移動端末の物理キーが押下されると、その押下に応じて、状態選択インタフェースが、その物理キーが属する移動端末の画面上でユーザに表示するために起動され、また、その押下に応じて、その物理キーの機能が、その物理キーの属する移動端末の画面に仮想キーの形式でユーザに対して表示される。例えば、上記物理キーは、アップルの電話機のＨＯＭＥキーであってよい。この種の複数の携帯電話機が寄せ集められると、状態選択インタフェースは、移動端末２０がマスタあるいはスレーブの何れで動作するかを選択するためにユーザに対して自動的に表示されてもよく、或いは、ＨＯＭＥキーが押されたときだけ、ユーザは、移動端末２０がマスタあるいはスレーブの何れで動作するかを選択あるいは変更することを許される。
【０１０１】
図３へ戻ると、移動端末２０は、画面１０を有し、画面１０の幅方向に、移動端末２０に対向して設置する２つの側辺が額縁レスとなる。図３では、ｘ方向が画面の長手方向であり、ｙ方向が画面の幅方向である。図３乃至図７からわかるように、画面１０は、ほぼ矩形である。画面１０は、Ｌ：Ｗ≧２．５となり、ただし、Ｌが画面の長さであり、Ｗが画面の幅である。従って、本発明の幾つか実施例では、画面１０は細長い形状である。そして、画面１０は、同じ幅であればより大きい表示面積を有し、言い換えると、同じ表示面積であれば、より小さい幅を有することから、人々による片手操作を便宜に行うことができる。そして、利用者が容易に携帯電話機を片手で操作すると同時に、複数の画面を用いて一列の寄せ集めによりＡ４用紙に対応する比率を実現しやすい。
【０１０２】
本発明の一実施例によれば、当該矩形の画面のアスペクト比は、以下のように制限されてもよい。
Ｌ：Ｗ＝（２０５〜２１５）：［（２９０〜３０４）／ｎ］，    （１）
ただし、ｎは正の整数、かつ、ｎ≧２である。
そうすれば、ｎ個の移動端末２０を寄せ集めて、組合型端末装置３０を形成すると、組合型端末装置３０のアスペクト比が（２９０〜３０４）／（２０５〜２１５）である。つまり、移動端末２０により寄せ集められた組合型端末装置３０は、面積のアスペクト比がほぼ２９７：２１０に等しいことから、フォントの大きさに関わらず、画面１０が全画面にて黒い領域がないように出版物の資料を表示することができる。
【０１０３】
本発明の好ましい実施例では、ｎが６以下である。そして、ｎの値が４或いは５である場合には、画面１０が比較的に大きな表示面積を有すると共に、画面１０が細長過ぎることによる移動端末２０の使用に影響を与えることを防止することができる。本発明の好ましい実施例では、Ｗが５８〜６１ｍｍであり、Ｌが２０５〜２１５ｍｍである。特に、Ｗが６０ｍｍであり、Ｌが２１０ｍｍである場合に、５つの移動端末２０を寄せ集め、アスペクト比がほぼ２９７：２１０である組合型端末装置３０を形成することができる。Ｗが７２〜７６ｍｍであり、Ｌが２０５〜２１５ｍｍである。特に、Ｗが７４ｍｍであり、Ｌが２１０ｍｍである場合に、４つの移動端末２０を寄せ集め、アスペクト比がほぼ２９７：２１０である組合型端末装置３０を形成することができる。本発明に係る画面１０と移動端末２０によれば、大きな表示面積を有すると共に、片手操作に特に適合できる。複数の移動端末２０を寄せ集めた組合型端末装置３０は、そのアスペクト比がほぼ２９７：２１０であり、全画面にて黒い領域がないように出版物の資料を表示することができる。
【０１０４】
上記においては、式（１）により説明された、移動端末の画面のアスペクト比に対する限定条件は、比較的細長い画面（例えば、アスペクト比が２．５以上である画面）に限定されておらず、他の限定条件として自由に採用されてもよい。例えば、式（１）について、ｎの値が２或いは３であってもよい。この時、当該アスペクト比がほぼ１．４１と２．１２である。この場合に、単一画面がそれほど細長くはなく、画面を依然としてＡ４用紙の比率となるように寄せ集めることが可能である。特に、２つ或いは３つ上記の画面を寄せ集め、Ａ４用紙の実際の大きさとほぼ同じである画面を形成する場合には、当該画面の長さＬが２０５〜２１５ｍｍとなる。
【０１０５】
さらに、理解するべきところは、単純に、Ａ４用紙の実際の大きさとほぼ同じである画面に寄せ集めるためには、移動端末の画面が矩形であり、長さ或いは幅が２０５〜２１５ｍｍであることである。複数の移動端末を一列に寄せ集めて組合型端末装置３０を形成する場合に、これらの移動端末の長さ或いは幅が同じ大きさを有し、かつ、２０５〜２１５ｍｍの間に値を取る。そして、これらの移動端末を、当該同じ大きさの長さ或いは幅に従って寄せ集める場合に、寄せ集められた単一矩形の画面が全体的に２０５〜２１５ｍｍの幅を有すると共に、寄せ集められた単一矩形の画面の長さが２９０〜３０４ｍｍである。これは、寄せ集める移動端末の数量を適当に選択したり、異なる長さを他の側に有する移動端末を選択したりすることにより実現される。典型的には、当該組合型端末装置３０は、１つの携帯電話機と１つのタブレットＰＣを組み合わせ、或いは、１つの携帯電話機と２つのタブレットＰＣとを組み合わせることによりなされる。
【０１０６】
以下では、図３に示されるような移動端末２０を図７に示されるような組合型端末装置３０に寄せ集める方法について図１０に関連付けて記述する。構造上、各移動端末２０は、画面１０の相反する両側に位置する第一側表面ＳＬと第二側表面ＳＲとを有し、図３では、第一の側表面ＳＬは左側面にあり、第二側表面ＳＲは右側面にある。第一側表面ＳＬと第二側表面ＳＲとは共に、他の移動端末に寄せ集められるための寄せ集めインタフェースを有し、寄せ集めインタフェースは、第一および第二導電部を有する。
【０１０７】
５個の移動端末２０が図７に示されるように寄せ集められるとき、最外縁部以外は、第一導電部と他の移動端末の第二導電部とが互いに電気的に接触し、その第二導電部とさらに他の移動端末の第一導電部とが互いに電気的に接触し、そして、その接触は有線接続である。他の実施例では、各移動端末２０は、さらに図７に示されるように無線による方法であってもよい。寄せ集めが終了した後、移動端末２０は各々移動端末の数を検出するだろう。
【０１０８】
図１０に示されるように、移動端末２０の数が２以上のとき、ユーザによってクリックされるメニューがそれぞれの移動端末２０に表示され、ユーザがそのメニューをクリックしたならば、その移動端末２０がマスタであるとして手配され、他の移動端末はスレーブであるとして自動的に手配される。他の実施例では、新たな移動端末２０が既存の組合型端末装置３０に寄せ集められるとき、その移動端末２０は既にマスタがいることを検出して自身をスレーブとして自動的に手配するようにしてもよい。
【０１０９】
最初に、図１０に示されるように、２個の移動端末２０を選択し、その２個の移動端末２０のそれぞれの画面のサイズを検出し、仮想キーボードおよびマスタの入力制御用の仮想スライド制御パネルを表示するためにその２個の移動端末の画面を全体として使用するようにしてもよい。勿論、殆ど選択しない、例えば、仮想キーボードと仮想スライドコントロールパネルを表示するために１個の移動端末だけ選択するようにしてもよいし、或いは、幾つかの移動端末があり、及び／または、それぞれの画像が小さいとき、移動端末の全てで仮想キーボードおよび仮想スライドコントロールパネルを表示させるようにしてもよい。
【０１１０】
スレーブのために、マスタは、電力割当の制御を行うことができる。電力検出によって、マスタは、スレーブの電力資源を取得し、マスタあるいは或るスレーブの電力が不十分であるならば、マスタは、電力の共有のために使用される充電タスクを生成する。マスタは、十分な電力を持つスレーブ或いはマスタが、不十分な電力のマスタ或いはスレーブを充電するように、その充電タスクを十分な電力を持つスレーブあるいはマスタに割り当る。他の実施例では、マスタの資源割当手段が、その充電タスクを充電サブタスクにさらに分割し、対応する充電タスクを電力資源に従って他のスレーブ或いはマスタに送り、受信した充電サブタスクに従って、そのスレーブ或いはマスタのサブタスク実行手段が、不十分な電力のマスタあるいはスレーブを充電するためにスレーブ或いはマスタ内の充電資源を使用してよく、勿論、相対的に低い電力の移動端末を最初に充電することは必要である。
【０１１１】
スレーブのために、マスタはネットワークデータの制御を行うことができる。ネットワーク性能の検出によって、マスタはスレーブのネットワーク資源を得て、マスタの資源割当手段は、マスタのアップロード或いはダウンロードタスクを分割し、即ち、マスタによってアップロードあるいはダウンロードされるネットワークデータを分割してサブネットワークデータを形成し、スレーブはサブネットワークデータを受信し、データの受信と処理を行い、マスタは、それぞれにスレーブで受信し処理されたデータをマージしてアップロードあるいはダウンロードタスクを完了する。
【０１１２】
スレーブのために、マスタは計算の制御を行うことができる。最初に、寄せ集めによって形成された組合型端末装置３０は、上述した有線あるいは無線接続を通じてクラウドコンピューティングネットワークを形成し、マスタは、それぞれのスレーブのＣＰＵ資源を得て、それによってそれぞれのスレーブの計算能力を取得し、マスタの資源割当手段は、マスタの計算タスクを計算サブタスクに分割し、スレーブの計算能力に見合った計算サブタスクをスレーブに送り、スレーブのサブタスク実行手段は、そのスレーブのＣＰＵ資源を使用して受信された計算サブタスクに従って計算サブタスクを実行し、計算終了後に計算結果をマスタに供給し、マスタは、取得したそれぞれの計算結果をマージして最終的な計算結果を生成する。
【０１１３】
スレーブのために、マスタは、組合型端末装置３０がマスタの表示内容を表示する図７に示されるような表示の制御を行うことができる。マスタの表示内容を表示するためのスレーブの数およびそれぞれの画面のサイズを検出することにより、マスタの表示内容は、分割された表示データを得るためにスレーブの上記数およびサイズに従って分割され、各スレーブは、分割された表示データを受信し、画像表示を個々に行う。
【０１１４】
以上より、当業者にとって理解するべきところは、本明細書に本発明の複数の例示性の実施例を詳しく記述したが、本発明の趣旨や範囲を逸脱しない限り、本発明の開示する記載によって本発明の原理に該当する他の変形や変更を直接に取得し、或いは導出することができると言うまでもない。そのため、本発明の範囲は、これらの他の変形や変更が本願の範囲に所属していると理解されるべきである。
【図１】
2018512081.tif 000003
【図２】
2018512081.tif 000004
【図３】
2018512081.tif 000005
【図４】
2018512081.tif 000006
【図５】
2018512081.tif 000007
【図６】
2018512081.tif 000008
【図７】
2018512081.tif 000009
【図８】
2018512081.tif 000010
【図９】
2018512081.tif 000011
【図１０】
2018512081.tif 000012
【手続補正書】
【提出日】平成29年9月4日(2017.9.4)
【手続補正１】
【補正対象書類名】特許請求の範囲
【補正対象項目名】全文
【補正方法】変更
【補正の内容】
【特許請求の範囲】
【請求項１】
画面と寄せ集め管理モジュールとを含み、選択的に、マスタ動作状態のマスタとして動作し、スレーブ動作状態のスレーブとして動作することができ、単一の組合型端末装置に組合せられるために複数寄せ集めることができる寄せ集め可能な移動端末であって、
前記寄せ集め管理モジュールは、
状態決定指示に従って前記移動端末を選択的にマスタ動作状態あるいはスレーブ動作状態に入らせるように構成された状態決定手段と、
前記移動端末が前記マスタとして動作すると、前記組合型端末装置中の複数の前記移動端末に対応する複数の分割された表示データを取得するために、前記組合型端末装置中のそれぞれの前記移動端末の画面資源に従って前記マスタの表示内容を分割し、前記スレーブに対して対応する前記分割された表示データを送信するように構成された表示分割手段と、
前記移動端末が前記スレーブとして動作する場合、前記マスタから前記分割された表示データを受信すると、前記移動端末の現実行タスクをバックグラウンドで非表示で実行し、前記受信した分割された表示データを表示するように構成された表示切替手段と、
を含む、
移動端末。
【請求項２】
請求項１に記載の移動端末において、
前記寄せ集め管理モジュールは、さらに、
前記移動端末が前記スレーブとして動作する場合、前記移動端末の現在の利用可能な資源の情報の統計をとり、前記マスタに前記利用可能な資源の情報を送信するように構成された資源統計手段と、
前記移動端末が前記マスタとして動作する場合、前記スレーブの前記利用可能な資源の情報に従って前記マスタの現実行タスクを複数のサブタスクに分割し、対応するサブタスクを前記スレーブに送信するように構成された資源割当手段と、
前記移動端末が前記スレーブとして動作する場合、前記マスタからの前記サブタスクに従って前記利用可能な資源を使用して前記サブタスクを実行するように構成されたサブタスク実行手段と、を含む、
移動端末。
【請求項３】
請求項１または２に記載の移動端末において、さらに、
ユーザによって入力される前記状態決定指示を受信する状態選択インタフェースを含む、
移動端末。
【請求項４】
請求項３に記載の移動端末において、さらに、
前記移動端末が寄せ集め状態に入るかどうかを常に監視するように構成された寄せ集め検出モジュールを含み、
前記状態選択インタフェースは、前記移動端末が前記寄せ集め状態に入るのに応じて起動され、前記移動端末の前記画面上で前記ユーザに提供されるように構成されている、
移動端末。
【請求項５】
請求項３に記載の移動端末において、さらに、
それぞれ予め定められた機能を実行するために使用される１以上の物理キーと、
前記１以上の物理キーの１つの特定の物理キーの前記予め定められた機能を、前記状態選択インタフェースを呼出すための呼出機能に切り替え、前記特定の物理キーの前記予め定められた機能を実行するための仮想キーを前記画面に表示するように構成された機能切替モジュールと、を含み、
前記特定の物理キーが押下されると、前記状態選択インタフェースは、前記押下の動作に応じて起動されて前記移動端末の前記画面上で前記ユーザに提供される、
移動端末。
【請求項６】
請求項３，４または５に記載の移動端末において、さらに、
それぞれの前記移動端末間のデータ通信のために他の前記移動端末に寄せ集められる寄せ集めインタフェースを含む、
移動端末。
【請求項７】
請求項１乃至６の何れかに記載の移動端末において、
前記状態決定手段は、さらに、前記移動端末が前記マスタ動作状態に入ることを示す前記状態決定指示に応じて前記マスタ状態に入ると、他の移動端末に前記スレーブ動作状態に入ることを示す前記状態決定指示を送出するように構成されている、
移動端末。
【請求項８】
請求項７に記載の移動端末において、前記表示分割手段は、さらに、前記移動端末が前記マスタ動作状態に入るのに応じて起動されて動作するように構成されている、
移動端末。
【請求項９】
請求項１乃至８の何れかに記載の移動端末において、
前記状態決定手段は、さらに、前記状態決定指示に従って前記移動端末を前記マスタ動作状態から出させ、前記移動端末が前記マスタ動作状態から出るのに応じて他の移動端末に前記スレーブ状態から出ることを示すスレーブ終了指示を送出するように構成されている、
移動端末。
【請求項１０】
請求項１乃至９の何れかに記載の移動端末において、
前記状態決定手段は、さらに、前記移動端末が前記スレーブとして動作する場合、前記移動端末が前記マスタとの接続を失ってロスト状態になると、前記ロスト状態に従っておよび応じて、前記スレーブ動作状態から出ることを示す前記スレーブ終了指示を送出するように構成されている、
移動端末。
【請求項１１】
請求項１乃至１０の何れかに記載の移動端末において、
前記表示分割手段は、前記組合型端末装置中のそれぞれの前記移動端末の前記画面資源をリアルタイムに監視し、監視した画面資源に従って前記マスタの前記表示内容をリアルタイムに分割する、
移動端末。
【請求項１２】
請求項９または１０に記載の移動端末において、
前記表示切替手段は、さらに、前記移動端末が前記スレーブとして動作する場合、前記スレーブ終了指示を受信すると、前記分割された表示データの表示を終了し、前記移動端末のバックグラウンドで走行しているタスクをフォアグラウンドで走行するように回復する、
移動端末。
【請求項１３】
請求項９乃至１２の何れかに記載の移動端末において、
前記サブタスク実行手段は、さらに、前記移動端末が前記スレーブとして動作する場合、前記スレーブ終了指示を受信すると、前記サブタスクの実行を終了する、
移動端末。
【請求項１４】
請求項２乃至１３の何れかに記載の移動端末において、
前記利用可能な資源の情報は、ＣＰＵ資源、ストレージ資源、ネットワーク資源、および電力資源の少なくとも１つを含む、
移動端末。
【請求項１５】
請求項１４に記載の移動端末において、
前記マスタ中の前記資源割当手段は、前記マスタの計算タスクを計算サブタスクに分割し、前記スレーブの前記ＣＰＵ資源に従って対応する計算サブタスクを前記スレーブに送り、前記スレーブ中の前記サブタスク実行手段は、前記受信した計算サブタスクに従って前記スレーブの前記ＣＰＵ資源を使用して前記計算サブタスクを実行し、或いは、
前記マスタ中の前記資源割当手段は、前記マスタのストレージタスクをストレージサブタスクに分割し、前記スレーブの前記ストレージ資源に従って対応するストレージサブタスクを前記スレーブに送り、前記スレーブ中の前記サブタスク実行手段は、前記受信したストレージサブタスクに従って前記スレーブの前記ストレージ資源を使用して前記ストレージサブタスクを実行し、或いは、
前記マスタ中の前記資源割当手段は、前記マスタのアップロード或いはダウンロードタスクをアップロード或いはダウンロードサブタスクに分割し、前記スレーブの前記ネットワーク資源に従って対応するアップロード或いはダウンロードサブタスクを前記スレーブに送り、前記スレーブにおける前記サブタスク実行手段は、前記受信したアップロード或いはダウンロードサブタスクに従って前記スレーブの前記ネットワーク資源を使用して前記アップロード或いはダウンロードサブタスクを実行し、或いは、
前記マスタは、前記スレーブの前記電力資源を取得し、前記マスタ或いは前記スレーブの電力が不十分であれば、前記マスタは、充電タスクを生成し、前記マスタは、十分な電力を有する前記スレーブ或いは前記マスタが電力の不十分な前記マスタ或いは前記スレーブを充電するように、前記充電タスクを電力の十分な一つの前記スレーブ或いは前記マスタに割り当て、もしくは、前記マスタの前記資源割当手段は、前記充電タスクを充電サブタスクに分割し、前記充電資源に従って対応する充電サブタスクを他の前記スレーブ或いは前記マスタに送り、前記受信した充電サブタスクに従って、前記スレーブ中の前記サブタスク実行手段或いは前記マスタは、前記スレーブ或いは前記マスタの前記充電資源を使用して、電力の不十分な前記マスタ或いは前記スレーブを充電する、
移動端末。
【請求項１６】
請求項２乃至１５の何れかに記載の移動端末において、
前記資源統計手段は、ステレオスピーカシステムを形成するために、前記マスタおよび前記スレーブが有するスピーカの統計をとり、前記資源割当手段は、前記組合型端末装置のオーディオの左チャンネルを左側に配置された前記スピーカに割り当て、前記オーディオの右チャネルを右側に配置された前記スピーカに割り当て、前記オーディオの中央チャネルを中央に配置された前記スピーカに割り当てる、
移動端末。
【請求項１７】
請求項１乃至１６の何れかに記載の移動端末において、さらに、
前記移動端末が寄せ集め状態である場合、前記組合型端末装置中に前記マスタとして動作する前記移動端末が存在するかどうか問合せを通じて決定するように構成されたマスタ問合せモジュールを含み、前記組合型端末装置中にマスタとして動作する前記移動端末が存在すると、前記マスタ問合せモジュールは、前記状態決定手段に前記移動端末は前記スレーブであることを示す前記状態決定指示を送出する、
移動端末。
【請求項１８】
請求項１乃至１７の何れかに記載の移動端末において、さらに、
前記画面の相反する両側に位置し、相互に平行する平面である第一側表面及び第二側表面と、
前記第一側表面に設置される第一磁気吸着手段及び前記第二側表面に設置される第二磁気吸着手段と、を含み、前記第一磁気吸着手段と前記第二磁気吸着手段は、現在の前記移動端末に他の前記移動端末が寄せ集められる時に、現在の前記移動端末の前記第一側表面における前記第一磁気吸着手段が他の前記移動端末の前記第二側表面における前記第二磁気吸着手段と相互に吸引し、現在の前記移動端末の前記第一側表面が他の前記移動端末の前記第二側表面と相互に合わさるように貼り付けられる位置に配置され、
前記第一磁気吸着手段が前記第一側表面に突出しないと共に、前記第二磁気吸着手段が前記第二側表面に突出しない、
移動端末。
【請求項１９】
請求項１８に記載の移動端末において、前記寄せ集めインタフェースは、
前記第一側表面に設置される第一導電部と、
前記第二側表面に設置される第二導電部と、を含み、
前記第一導電部と前記第二導電部は、現在の前記移動端末の前記第一側表面が他の前記移動端末の前記第二側表面と相互に合わさるように貼り付けられる時に、現在の前記移動端末の前記第一側表面における前記第一導電部が他の前記移動端末の前記第二側表面における前記第二導電部と相互に電気接触する位置に配置される、
移動端末。
【請求項２０】
請求項１９に記載の移動端末において、前記第一導電部と前記第二導電部の少なくとも一つは、それが位置する側表面に垂直する方向に沿って移動できるように、弾性材料により形成され、或いは、偏るようにバネによって形成される、
移動端末。
【請求項２１】
請求項２０に記載の移動端末において、
前記第一導電部は、複数の弓形金属板からなり、前記第二導電部は、前記第二側表面に窪み、現在の前記移動端末の前記第一導電部が他の前記移動端末の前記第二導電部と相互に当接して、前記第一導電部によりそれが位置する側表面に垂直する方向に沿って変形を生じさせることにより、他の前記移動端末の前記第二側表面が現在の前記移動端末の前記第一側表面と相互に合わさるように貼り付けられる、或いは、
前記第一側表面は、第一溝を有し、前記第一導電部は、前記第一溝に回転可能に接続され、前記第一導電部は、第一溝の外部に出るように回転して他の前記移動端末の前記第二導電部に接触することが可能であり、かつ、前記第一導電部は、前記第一溝内へ回転して他の前記移動端末の前記第二導電部との接触を断つことが可能である、
移動端末。
【請求項２２】
請求項１９に記載の移動端末において、
前記第一導電部と前記第二導電部の少なくとも１つは、張出位置と引返位置との間に移動可能である可動導電部が形成され、前記可動導電部が前記張出位置になるとそれの位置する側表面に突出し、
前記可動導電部が位置する側表面には、前記可動導電部を収容する凹部を有する、
移動端末。
【請求項２３】
請求項１８乃至２２の何れかに記載の移動端末において、
前記第一側表面及び／或いは前記第二側表面における手動操作キーをさらに含み、前記手動操作キーを、その輪郭がその側表面を上回らせないように、その位置する側表面の第二溝に形成する、
移動端末。
【請求項２４】
請求項１８乃至２３の何れかに記載の移動端末において、
前記移動端末は、全体に丸角がない矩形である、
移動端末。
【請求項２５】
請求項１８乃至２４の何れかに記載の移動端末において、
前記移動端末の背面側には、前記画面の幅方向に沿って配置された左磁気吸着手段及び右磁気吸着手段が設置され、前記左磁気吸着手段及び前記右磁気吸着手段は、現在の前記移動端末の前記第一導電部と他の前記移動端末の前記第二導電部とが背中合わせに相互に抵触すると、現在の前記移動端末の裏面が他の前記移動端末の裏面と相互に合わさるように貼り付けられるように、現在の前記移動端末における前記左磁気吸着手段と前記右磁気吸着手段がそれぞれ他の前記移動端末における前記左磁気吸着手段と前記右磁気吸着手段と相互に吸引可能であるように設置される、
移動端末。
【請求項２６】
請求項１乃至２５の何れかに記載の移動端末において、前記画面は、ほぼ矩形であり、Ｌを前記画面の長さ、Ｗを前記画面の幅とすると、Ｌ：Ｗ≧２．５となり、選択的に、Ｌ：Ｗ＝（２０５〜２１５）：［（２９０〜３０４）／ｎ］となり、ただし、ｎは正の整数となり、かつ、ｎ≧４である、
移動端末。
【請求項２７】
請求項１乃至２６の何れかに記載の移動端末において、
前記画面の幅方向および／または長手方向では、額縁レス、或いは、幅が１ｍｍより小さい狭額縁で前記移動端末における対向して設置される２つの側辺を形成する、
移動端末。
【請求項２８】
請求項１乃至２７の何れかに記載の移動端末において、
前記表示内容は、仮想入力デバイスを含み、前記表示分割手段は、さらに、前記仮想入力デバイスに対応する前記表示データを全体として少なくとも１つの分割された表示データに分割するように構成されている、
移動端末。
【請求項２９】
前記画面の幅方向及び／或いは長手方向では、請求項１乃至２８の何れか一つに記載の移動端末が、Ｎ個寄せ集められ、Ｎ個の前記移動端末の前記画面が全体として単一矩形画面に生成される組合型端末装置。
【請求項３０】
請求項１乃至２８の１つに記載された移動端末が前記画面の幅方向および／または長手方向にＮ個寄せ集められて形成された組合型端末装置であって、
前記移動端末のＭ個の前記画面は全体として前記組合型端末装置の画面として使用される単一矩形画面を形成し、前記移動端末のＮ−Ｍ個の前記画面は全体として仮想入力デバイス表示用の入力画面として動作するために単一矩形画面を形成し、前記入力画面は、仮想キーボードおよび前記組合型端末装置の入力インタフェースとして働く仮想タッチパッドを提供するために使用され、Ｎ＞Ｍである、
組合型端末装置。
【国際調査報告】
2018512081.tif 000013
2018512081.tif 000014
2018512081.tif 000015
2018512081.tif 000016